(57)【特許請求の範囲】
【請求項１】
記録媒体テープを収めたカセットを記録再生装置内に装着するためのカセット装着装置であって、
上記カセットを受け入れて上記記録再生装置内に引き込むカセットホルダと、
上記カセットホルダを昇降可能に支持するシャーシと、
装着された上記カセットを載置するカセット受け台と、
上記シャーシに設けられ、上記カセット受け台を位置決めする位置決めピン及び位置決め片と、
上記カセットホルダに設けられた爪部材と、
上記カセット受け台に設けられて上記爪部材に係合離脱可能な爪掛け部と、を具備し、
上記爪掛け部が、上記カセット受け台と一体に成形され、上記爪掛け部と上記爪部材を係合することにより上記カセットホルダが上記カセット受け台に固定されることを特徴とするカセット装着装置。
【発明の詳細な説明】
【０００１】
【発明の属する技術分野】
本発明は、家庭用カメラ付きビデオテープレコーダー（ビデオカメラ）等の記録再生装置用のカセット装着装置に関する。特には、部品点数が少なく、信頼性が高く、軽量化に適したカセット装着装置に関する。
【０００２】
【従来の技術】
記録再生装置のカセット装着装置は、一般的に、カセット装着状態でカセットホルダとカセット受け台とを固定しておくための一対の係合部材（ロック機構）を有している。
図２は、従来のカセット装着装置の概要及びロック機構を示す斜視図である。
【０００３】
図２のカセット装着装置１０１は、カセットホルダ１１を有する。カセットホルダ１１は、平たい箱状の構造物であって、カセット３を図の左側の側面のカセット出し入れ口１１ａから引き込む。このカセットホルダ１１は、記録再生装置のシャーシ３１の一端部（手前側という）に、一対のアーム１７、１９及び図示せぬ昇降駆動機構を介して、昇降可能に取り付けられている。ホルダ１１は、カセット３を引き込んだ後、下降し、カセット３をカセット受け台１３３の上に載置する。カセット受け台１３３上には、カセット３のリールを載せて回転駆動される左右一対のリール台３７、３９が設けられている。なお、ホルダ１１は、各部に開口を有し、その開口を介して記録再生装置内の様々な機構がカセット３と係合する。また、本明細書においては、カセット３の装入側から見て左右を左右とする。
【０００４】
ホルダ１１の、カセット出し入れ口１１ａの右側の側壁１１ｃには、爪部材（係合部材）１３が、支点１３ａを中心に回動可能に設けられている。爪部材１３は全体として帯状の部材であり、下端部に手前方向に突出する爪１３ａが形成されている。また、爪部材１３の上端部には、爪部材付勢用のバネ（コイルスプリング）１５の一端が係止されている。このバネ１５の他端はアーム１９の上端部に係止されている。
【０００５】
一方、シャーシ３１の右側壁３１ａには、別体の爪掛け部材１５１が取り付けられている。爪掛け部材１５１は、シャーシ側壁３１ａの内側に垂下する帯状部１５１ｂを有し、同部１５１ｂの下部にはフック状の爪掛け１５１ｃが形成されている。爪掛け部材１５１の上部１５１ａは下向きＵ字状に折り曲げられており、シャーシ側壁３１ａの上辺に吊架されている。また、爪掛け部材１５１の帯状部１５１ｂには、右向き側方に突出する位置決めボス１５１ｄが突設されている。この位置決めピン１５１ｄは、シャーシ側壁３１ａに開けられた位置決め孔に嵌合している。
【０００６】
図２のカセット装着装置においては、ホルダ１１が下降したときに、爪部材１３の爪１３ａと爪掛け部材１５１の爪掛け１５１ｃとが係合して、ホルダ１１がカセット装着位置に保持される。なお、ホルダ１１を上昇させる時は、図示せぬ機構により爪部材１３を反時計回りにスィングさせて爪１３ａを外す。
【０００７】
【発明が解決しようとする課題】
ところで、上述の従来のカセット装着装置は、爪掛け部材とカセット受け台とが別体であったため、次のような不十分点があった。
（１）小型化と軽量化が大きな課題である携帯型磁気記録再生装置（ビデオカメラ等）においては、部品点数と重量の点で不利であった。
（２）組立時に、カセットホルダと爪掛け部材との相対位置がバラつくことにより、作動不良原因となっていた。
（３）爪掛け部材のシャーシへの取付けの際、位置決め方法を考慮しなくてはならず、そのための特別な構造（例：位置決め孔とボス、溶着治具など）を必要としていた。
なお、図２の例では、カセット受け台１３３は、シャーシ３１に対してピン３５、１３４によって位置決め固定される。また、爪掛け部材１５１は、ボス１５１ｄとＵ字状上部１５１ａによって位置決め固定される。
【０００８】
【課題を解決するための手段】
本発明は、このような問題点に鑑みてなされたもので、部品点数が少なく、信頼性が高く、軽量化に適したカセット装着装置を提供することを目的とする。
【０００９】
上記課題を解決するため、本発明のカセット装着装置は、記録媒体テープを収めたカセットを記録再生装置内に装着するためのカセット装着装置であって、
カセットを受け入れて記録再生装置内に引き込むカセットホルダと、このカセットホルダを昇降可能に支持するシャーシと、装着されたカセットを載置するカセット受け台と、シャーシに設けられ、カセット受け台を位置決めする位置決めピン及び位置決め片と、カセットホルダに設けられた爪部材と、カセット受け台に設けられて爪部材に係合離脱可能な爪掛け部と、を具備している。そして、爪掛け部が、カセット受け台と一体に成形され、爪掛け部と爪部材を係合することによりカセットホルダがカセット受け台に固定されることを特徴とする。
【００１０】
すなわち、係合部材の一方（爪掛け部材等）をシャーシに設けるのでなく、カセット受け台に一体に設けることとした。そのため、部品点数や組立の手間を減らすことができるとともに、カセット受け台と係合部材との相対的位置のバラツキが抑えられ機構の信頼性が向上した。
【００１１】
【発明の実施の形態】
以下、図面を参照しつつ説明する。
図１は、本発明の１実施例に係るカセット装着装置の概要及びロック機構を示す斜視図である。
図１のカセット装着装置１は、カセットホルダ１１を有する。カセットホルダ１１は、平たい箱状の構造物であって、カセット３を図の左側の側面のカセット出し入れ口１１ａから引き込む。このカセットホルダ１１は、記録再生装置のシャーシ３１の手前側に、一対のアーム１７、１９及び図示せぬ昇降駆動機構を介して、昇降可能に取り付けられている。ホルダ１１は、カセット３を引き込んだ後、下降し、カセット３をカセット受け台３３の上に載置する。カセット受け台３３上には、カセット３のリールを載せて回転駆動される左右一対のリール台３７、３９が設けられている。なお、ホルダ１１は、各部に開口を有し、その開口を介して記録再生装置内の様々な機構がカセット３と係合する。
【００１２】
ホルダ昇降機構のアームＡ１７の手前側端部は、ホルダ側壁１１ｃに固定されている支点２１に回動可能に軸支されている。一方、アームＡ１７の奥側端部は、シャーシ側壁３１ａに開けられた横に延びる長孔３１ｂにスライド可能に嵌合するスライド支点２９に軸支されている。アームＢ１９の手前側端部は、シャーシ側壁３１ａに固定されている支点２７に回動可能に軸支されている。一方、アームＢ１９の奥側端部は、ホルダ側壁１１ｃに開けられた横に延びる長孔１１ｂにスライド可能に嵌合するスライド支点２５に軸支されている。両アーム１７、１９は長手方向中央部においてクロスしており、同部に回動支点２３が設けられている。
【００１３】
ホルダ１１の、カセット出し入れ口１１ａの右側の側壁３１ａには、爪部材（係合部材）１３が、支点１３ａを中心に回動可能に設けられている。爪部材１３は全体として帯状の部材であり、下端部に手前方向に突出する爪１３ａが形成されている。また、爪部材１３の上端部には、爪部材付勢用のバネ（コイルスプリング）１５の一端が係止されている。このバネ１５の他端はアーム１９の上端部に係止されている。
爪１３ａの上辺はほぼ爪部材１３の手前側の辺に直角に突出しており、同爪１３ａの下辺には斜め奥下にテーパーが付いている。
【００１４】
カセット受け台３３の手前右隅には、一体に爪掛け部４３が形成されている。爪掛け部４３は、カセット受け台３３から真上に立ち上がる棒状の部分であって、奥側の側面に爪掛け４３ａが突設されている。爪掛け４３ａの上辺は斜め奥下にテーパーが付いている。爪掛け４３ａの下辺は、カセット受け台３３の面とほぼ平行である。なお、カセット受け台３３は樹脂（ポリアセタール）の一体成形品であって、シャーシ底面３１ｂに、位置決めピン３５と位置決め片４１で位置決めされてネジ（図示されず）で固定されている。
【００１５】
図１のカセット装着装置においては、ホルダ１１が下降したときに、爪部材１３の爪１３ａと爪掛け部４３の爪掛け４３ａとが係合して、ホルダ１１がカセット装着位置に保持される。なお、ホルダ１１を上昇させる時は、図示せぬ機構により爪部材１３を反時計回りにスィングさせて爪１３ａを外す。
【００１６】
本実施例のカセット装着装置では爪掛け部４３をカセット受け台３３と一体に成形して設けたので、爪掛けとカセット受け台の相対的位置関係にバラツキが生じない。また、爪掛け部４３単体での位置決め手段は不要となり余計な工作物や作業は不要となる。
【００１７】
本実施例ではカセット受け台３３と爪掛け部４３とを樹脂一体成形としたが、板金のプレス加工などによってもこのような構造が実現可能である。
【００１８】
【発明の効果】
以上の説明から明らかなように、本発明は、係合部材の一方（爪掛け部材等）をシャーシに設けるのでなく、カセット受け台に一体に設けることとした。そのため、部品点数や組立の手間を減らすことができるとともに、カセット受け台と係合部材との相対的位置のバラツキが抑えられ機構の信頼性が向上する。そのため、爪と爪掛けとの相対的位置のバラツキが抑えられ、機構不作動の一要因を取り除くことができる。また、組立及び分解時間が削減される。
【図面の簡単な説明】
【図１】本発明の１実施例に係るカセット装着装置の概要及びロック機構を示す斜視図である。
【図２】従来のカセット装着装置の概要及びロック機構を示す斜視図である。
【符号の説明】
１…カセット装着装置、３…カセット、１１…カセットホルダ、
１１ａ…カセット出し入れ口、１１ｂ…長孔、１１ｃ…側壁、１３…爪部材、
１３ａ…爪、１５…バネ、１７…アームＡ、１９…アームＢ、
２１、２３、２７…支点、２５、２９…スライド支点、３１…シャーシ、
３１ａ…右側壁、３１ｂ…長孔、３３…カセット受け板、３５…ピン、
３７、３９…リール台、４１…位置決め片、４３…爪掛け部、
１０１…カセット装着装置、１５１…爪掛け部材、１５１ｃ…爪掛け、
１５３…ボス。
【図１】
0003991414.tif 000002
【図２】
0003991414.tif 000003